(57)【要約】【課題】二世帯住宅の各世帯に設けるインターホン親機の小型化及び低コスト化を図ったインターホンシステムを提供する。【解決手段】インターホンシステムの各世帯のインターホン親機１は、子器（ドアホン子器３及びカメラ子器４）が接続される子器接続端子Ｔ１と、副親機２ａ…２ｎが接続される複数の副親機接続端子Ｔ２（Ｔ２ａ、Ｔ２ｂ）を備え、副親機接続端子Ｔ２のうちの一つを、他世帯のインターホン親機１が接続される二世帯端子Ｔ２ｂとして用いる。また、当該二世帯端子Ｔ２ｂを、子器接続端子Ｔ１と映像変復調回路１３（映像復調手段）との間に設けたカメラ側入力点１８、又は、副親機接続端子Ｔ２ｂと映像変復調回路１３との間に設けた内線側出力点１９の何れかを選択して接続させるスイッチＳＷ１、ＳＷ２（接続切替手段）を備える。【選択図】図１
2010081122.tif 000002
【特許請求の範囲】
【請求項１】
二世帯住宅に設けられて世帯内及び世帯間で内線通話を行うためのインターホンシステムであって、
各世帯には、宅外に設置されるカメラ付きドアホンを含む子器と、子器との間で通話を行うための通話手段及び子器で撮影された映像を表示するための映像表示手段を具備して宅内に設置されるインターホン親機と、インターホン親機に接続されインターホン親機を介して子器との間で通話を行うための通話手段及びインターホン親機を介して子器で撮影された映像を表示するための映像表示手段を具備して宅内に配置されるインターホン副親機とがそれぞれ設けられ、
各世帯のインターホン親機に、子器が接続される子器接続端子と、インターホン副親機がそれぞれ接続される複数の副親機接続端子と、子器接続端子から入力される映像信号を復調して映像表示手段に表示させる映像復調手段とを備え、
複数の副親機接続端子のうちの一つが、他世帯のインターホン親機が接続される二世帯端子として用いられ、子器接続端子と映像復調手段との間に設けたカメラ側入力点、又は、副親機接続端子と映像復調手段との間に設けた内線側出力点の何れかを選択して、当該二世帯端子を接続させる接続切替手段を備えたことを特徴とするインターホンシステム。
【請求項２】
前記インターホン親機は、他世帯のインターホン親機との間で信号の授受を可能にする二世帯モード、又は、他世帯のインターホン親機との間で信号の授受を遮断する独立世帯モードの何れかに切り替える通信モード切替手段を有し、
独立世帯モード時において、通信モード切替手段は、二世帯端子を内線側出力点に接続させるよう接続切替手段を切り替えることを特徴とする請求項１記載のインターホンシステム。
【請求項３】
前記インターホン親機は、他世帯のインターホン親機との間で信号の授受を可能にする二世帯モード、又は、他世帯のインターホン親機との間で信号の授受を遮断する独立世帯モードの何れかに切り替える通信モード切替手段と、子器接続端子及び副親機接続端子から入力された映像信号を増幅するアンプとを備え、
二世帯モード時において、他世帯のインターホン親機へ自世帯の子器の映像信号を送信するインターホン親機の通信モード切替手段は、二世帯端子が内線側出力点に接続されるよう接続切替手段を切替えることを特徴とする請求項１または２の何れかに記載のインターホンシステム。
【請求項４】
前記インターホン親機は、他世帯のインターホン親機との間で信号の授受を可能にする二世帯モード、又は、他世帯のインターホン親機との間で信号の授受を遮断する独立世帯モードの何れかに切り替える通信モード切替手段と、子器接続端子及び副親機接続端子から入力された映像信号を増幅するアンプとを備え、
二世帯モード時において、他世帯のインターホン親機から送信された映像信号を受信して表示するインターホン親機の通信モード切替手段は、二世帯端子がカメラ側入力点に接続されるよう接続切替手段を切替えることを特徴とする請求項１〜３の何れか１項に記載のインターホンシステム。
【発明の詳細な説明】
【技術分野】
【０００１】
本発明は、二世帯住宅で用いられるインターホンシステムに関するものである。
【背景技術】
【０００２】
近年、１つの住宅に親世帯と子世帯とが同居する二世帯住宅が普及してきており、このような二世帯住宅では、各々の世帯で個別に来客に応対できるように、各世帯にインターホンシステムを設置していた。
【０００３】
二世帯住宅の世帯間でプライバシーを確保するためには、各々の世帯に別個のインターホンシステムを設置し、世帯間のインターホン通話を行えないようにすることが好ましいが、例えば留守中の世帯に来客があった場合に他方の世帯で代わりに応答したり、世帯間でインターホン通話を行いたい場合もあり、状況に応じて動作モードを、世帯内通話のみが可能な通常モードと、世帯間通話が可能な留守モードとに切り換え可能にした二世帯住宅用のインターホンシステムが従来提案されていた（例えば特許文献１参照）。
【０００４】
上記文献に開示されたインターホンシステムでは、一方の世帯のみにインターホン親機を配置するとともに、当該インターホン親機に、各世帯のカメラ付きドアホン子器と、各世帯に設置された複数台のインターホン副親機とをそれぞれ接続してある。そして、インターホン親機及びインターホン副親機には、一方の世帯の第１のグループに属するか、他方の世帯の第２のグループに属するか、或いは、一方の世帯と他方の世帯を纏めた第３のグループに属するかを設定する切替スイッチを設けてあり、何れかの世帯のドアホン子器で呼出釦が押され、ドアホン子器からの呼出信号が親機を介して副親機に送られた場合、親機及び副親機では、切替スイッチの設定を参照し、自グループのドアホン子器からの呼出信号が入力された場合のみ呼出音を鳴動させるとともに、呼出に対する応答も自グループのドアホン子器との間でしか行えないようにしている。また親機又は副親機の何れかで切替スイッチにより第３のグループに設定された場合は、システム全体が留守モードに切り換えられて世帯間通話が可能になるので、留守中の世帯のドアホン子器で呼出釦が押された場合は、在宅中の世帯の親機又は副親機で応答することができる。
【０００５】
しかしながら、上記文献に開示されたインターホンシステムでは、片方の世帯にしかインターホン親機が設けられていないため、片方の世帯で停電が発生したり、インターホン親機が故障したりすると、もう一方の世帯でもインターホンシステムが使用できなくなるという問題があった。
【０００６】
そこで、図５のシステム構成図に示すように二世帯住宅の各世帯Ａ１、Ａ２に、住戸外に設置されるカメラ付きドアホン子器３と、住戸内に設置されてドアホン子器３との間で信号線Ｌｓ１を介して音声信号を授受するとともに映像信号が入力されるインターホン親機１（以下、親機と略称す。）と、監視領域を撮像した映像を信号線Ｌｓ１を介して親機１に伝送するカメラ子器４と、住戸内に設置され平衡２線式の伝送線路Ｌｓ２を介して親機１に接続されるインターホン副親機（以下、副親機と略称す。）２ａ、２ｂ…２ｎとで構成されるインターホンシステムを設け、各世帯Ａ１、Ａ２の親機１、１間を信号線Ｌｓ３で接続することによって、世帯間通話を行えるようにしたシステムも従来提案されている。
【０００７】
親機１は、図６に示すように、マイク１０ａ及びスピーカ１０ｂと、２線−４線変換回路を含み、マイク１０ａから出力される音声信号を信号処理して後述の多重分離回路１６ａ、１６ｃ、２１に出力するとともに、多重分離回路１６ａ、１６ｃ、２１から入力される音声信号を信号処理してスピーカ１０ｂから音声を鳴動させ、さらに副親機２ａ〜２ｎ及びカメラ子器４との間でＦＳＫ方式により制御信号を伝送する制御・音声変復調回路１１と、映像表示用のモニタ１２と、ドアホン子器３又はカメラ子器４から送られた映像信号を復調してモニタ１２に表示させる映像変復調回路１３と、各種の操作（呼出信号への応答操作、所望のドアホン子器３の映像をモニタするための操作、副親機２ａ〜２ｎの呼出操作）を行うための操作部１４と、伝送線路Ｌｓ１の線間電圧を監視してドアホン子器３から送信される呼出信号を受信する呼出信号受信回路１５と、制御・音声変復調回路１１から入力される音声信号及び制御信号を周波数多重化して信号線Ｌｓ１に出力するとともに、信号線Ｌｓ１を介して入力される多重化信号から音声信号を分離して制御・音声変復調回路１１に出力する多重分離回路１６ａと、ドアホン子器３或いはカメラ子器４から信号線Ｌｓ１を介して入力される多重化信号から映像信号を分離して映像変復調回路１３に出力する多重分離回路１６ｂと、制御・音声変復調回路１１から入力される音声信号及び制御信号を周波数多重化して伝送線Ｌｓ２に出力するとともに、副親機２ａ〜２ｎから伝送線Ｌｓ２を介して入力される多重化信号から音声信号及び制御信号を分離して制御・音声変復調回路１１に出力する多重分離回路１６ｃと、多重分離回路１６ｂにより分離された映像信号を再び周波数多重化して伝送線Ｌｓ２に出力する多重分離回路１６ｄと、マイコンを主構成要素として全体的な動作制御を行う制御部１７と、世帯間で音声信号及び映像信号を送受するための世帯間通話回路２０とを備えている。
【０００８】
なお、親世帯Ａ１の親機１と子世帯Ａ２の親機１とは信号線Ｌｓ３を介して接続されており、世帯間通話回路２０は、制御・音声変復調回路１１又は多重分離回路１６ａ、１６ｃから入力される音声信号及び制御信号を多重化して信号線Ｌｓ３に出力するとともに、信号線Ｌｓ３を介して入力される周波数多重化信号から音声信号及び制御信号を分離して制御・音声変復調回路１１又は多重分離回路１６ａ、１６ｃに出力する多重分離回路２１と、信号線Ｌｓ３を介して入力される周波数多重化信号より他世帯のドアホン子器３或いはカメラ子器４からの映像信号を分離するとともに、同じ世帯のドアホン子器３或いはカメラ子器４から入力される映像信号を多重化し信号線Ｌｓ３を介して他世帯の親機１へ出力する多重分離回路２２と、当該多重分離回路２２と映像変復調回路１３との間に設けられ、多重分離回路２２から映像変復調回路１３への映像信号の入力をオン／オフするスイッチ２３と、映像変復調回路１３と多重分離回路２２との間に設けられ、映像変復調回路１３側（すなわちドアホン子器３又はカメラ子器４）から多重分離回路２２への映像信号の入力をオン／オフするスイッチ２４とを備えている。
【０００９】
ここで、従来のインターホンシステムによる通話応答について以下に説明する。先ず親世帯Ａ１のドアホン子器３からの呼出に、親世帯Ａ１の親機１又は副親機２ａで応答する場合について説明を行う。親機１からドアホン子器３への給電電圧（直流電圧）は、ドアホン子器３が通話状態或いは後述するモニタ状態の何れでもないときはシステムの消費電力を低減するために相対的に低い状態（この状態を待機給電状態と言う。）とされ、通話状態やモニタ状態では相対的に高い状態（この状態を動作給電状態と言う。）とされる。尚、カメラ子器４には商用電源から動作電力が供給されている。
【００１０】
ドアホン子器３では、待機給電状態において呼出釦３ａが操作されると、信号線Ｌｓ１の線間電圧を待機給電状態よりもさらに低い電圧に低下させることで親機１に呼出信号を伝送する。親機１では、呼出信号受信回路１５が信号線Ｌｓ１の線間電圧をモニタすることによって呼出信号を検出しており、呼出信号を受信して制御部１７に出力すると、制御部１７が信号線Ｌｓ１への給電電圧を待機給電状態から動作給電状態に移行させるとともに、スピーカ１０ｂにより呼出信号を鳴動させ、また多重分離回路１６ｃを介して副親機２ａ〜２ｎに呼出信号を鳴動させるための制御信号を送信させることによって、親機１及び副親機２ａ〜２ｎから呼出信号を鳴動させる。
【００１１】
ドアホン子器３では、給電状態が動作給電状態に切り替えられると、内蔵のカメラを起動して当該カメラの映像信号を信号線Ｌｓ１を介して親機１に送信すると共に、音声信号処理部を起動して音声信号の授受、すなわち通話が可能な状態に切り替えている。この時、親機１では多重分離回路１６ｂが分離した映像信号を映像変復調回路１３が復調してモニタ１２に表示させるとともに、多重分離回路１６ｄが映像信号を再度多重化して副親機２ａ〜２ｎに出力することによって、副親機２ａ〜２ｎのモニタ２５にドアホン子器３のカメラで撮像された映像が表示されるようになっている。
【００１２】
そして、呼出信号を聞いた家人が親機１又は副親機２ａ〜２ｎの応答釦１４ａ、２６を操作すると、応答釦１４ａ、２６が操作された親機１又は副親機２ａ〜２ｎとドアホン子器３との間で通話路が形成され、宅内の家人はモニタ１２、２５の映像を見ながら、来客と通話を行うことができる。
【００１３】
また、図５及び図６に示すインターホンシステムでは、何れかの世帯が留守中で来客への対応ができない場合に、一方の世帯のドアホン子器３からの呼出に、他方の世帯の親機１又は副親機２ａ〜２ｎで応答することができるようになっている。すなわち、各世帯Ａ１、Ａ２の親機１では、留守設定を行うための操作部１４の設定操作に応じて、世帯間通話回路２０のスイッチ２３、２４を切り替えており、在宅時にはスイッチ２３をオン、スイッチ２４をオフにして、他世帯から送られた映像信号を多重分離回路２２により分離して映像変復調回路１３に入力させ、他世帯のドアホン子器３との通話を可能にしている。また各世帯Ａ１、Ａ２の親機１では、留守設定時にはスイッチ２３をオフ、スイッチ２４をオンにして、同じ世帯のドアホン子器３又はカメラ子器４からの映像信号を多重分離回路２２により多重化して信号線Ｌｓ３に出力させており、同じ世帯のドアホン子器３と他世帯の親機１又は副親機２ａ〜２ｎとの間で通話を行えるようにしている。
【００１４】
ここで、親機１で留守設定が行われた世帯Ａ１のドアホン子器３で呼出釦３ａが押操作されると、当該世帯Ａ１の呼出信号受信回路１５が呼出信号を受信して制御部１７に出力し、制御部１７がドアホン子器３への給電状態を動作給電状態に切り替えて、スピーカ１０ｂから呼出音を鳴動させるとともに、呼出音を鳴動させるための制御信号を多重分離回路１６ｃ、２１により多重化させ、同じ世帯の副親機２ａ〜２ｎ及び他世帯Ａ２の親機１並びに副親機２ａ〜２ｎに出力することによって、２つの世帯Ａ１、Ａ２の親機１及び副親機２ａ〜２ｎより呼出音を鳴動させている。また世帯Ａ１のドアホン子器３は、給電状態が動作給電状態に切り替えられると、カメラを起動してカメラの映像信号を親機１に出力しており、世帯Ａ１の親機１では自機のモニタ１２に映像を表示させるとともに、副親機２ａ〜２ｎのモニタに映像を表示させ、さらに映像信号を世帯間通話回路２０から他世帯Ａ２の親機１及び副親機２ａ〜２ｎに出力させて、他世帯Ａ２の親機１及び副親機２ａ〜２ｎに映像を表示させている。そして、他世帯Ａ２の家人が呼出音を聞いて、親機１又は副親機２ａ〜２ｎの応答釦１４ａ、２６を押操作すると、応答釦１４ａ、２６が押操作された他世帯Ａ２の親機１又は副親機２ａ〜２ｎと、世帯Ａ１のドアホン子器３との間で世帯Ａ１のインターホン親機１を介して通話路が形成され、留守世帯のドアホン子器３と、在宅世帯の親機１又は副親機２ａ〜２ｎとの間で通話を行えるようになっている。
【特許文献１】特許第３６１７２７１号公報
【発明の開示】
【発明が解決しようとする課題】
【００１５】
上述した従来のインターホンシステムでは、２世帯住宅の各世帯Ａ１、Ａ２に個別のインターホンシステムを設置し、各世帯Ａ１、Ａ２の親機１に世帯間通話回路２０を設けることによって、世帯間の通話を可能にしているので、例えば一方の世帯のインターホンシステムに異常が発生したとしても、他方の世帯のインターホンシステムが影響を受けることはなく、また特許文献１に開示されたインターホンシステムのように、個々の副親機にグループ設定を行う必要がないから、設定の手間が少なくて済むという利点はあるが、親機１から同一世帯の副親機２ａ〜２ｎへの映像信号の伝送は片方向通信であるのに対して、世帯間での映像信号の伝送は双方向通信のため、多重分離回路２１、２２やその切替回路（スイッチ２３、２４を含む）を備えた専用の世帯間通話回路２０が必要になり、親機１のコストアップを招くとともに、回路規模が大きくなって親機１の小型化の妨げになるという問題があった。
【００１６】
本発明は上記問題点に鑑みて為されたものであり、その目的とするところは、二世帯住宅の各世帯に設けたインターホン親機の小型化及び低コスト化を図ったインターホンシステムを提供することにある。
【課題を解決するための手段】
【００１７】
上記目的を達成するために、請求項１の発明では、二世帯住宅に設けられて世帯内及び世帯間で内線通話を行うためのインターホンシステムであって、各世帯には、宅外に設置されるカメラ付きドアホンを含む子器と、子器との間で通話を行うための通話手段及び子器で撮影された映像を表示するための映像表示手段を具備して宅内に設置されるインターホン親機と、インターホン親機に接続されインターホン親機を介して子器との間で通話を行うための通話手段及びインターホン親機を介して子器で撮影された映像を表示するための映像表示手段を具備して宅内に配置されるインターホン副親機とがそれぞれ設けられ、  各世帯のインターホン親機に、子器が接続される子器接続端子と、インターホン副親機がそれぞれ接続される複数の副親機接続端子と、子器接続端子から入力される映像信号を復調して映像表示手段に表示させる映像復調手段とを備え、複数の副親機接続端子のうちの一つが、他世帯のインターホン親機が接続される二世帯端子として用いられ、子器接続端子と映像復調手段との間に設けたカメラ側入力点、又は、副親機接続端子と映像復調手段との間に設けた内線側出力点の何れかを選択して、当該二世帯端子を接続させる接続切替手段を備えたことを特徴とする。
【００１８】
請求項２の発明では、請求項１の発明において、インターホン親機は他世帯のインターホン親機との間で信号の授受を可能にする二世帯モード、又は、他世帯のインターホン親機との間で信号の授受を遮断する独立世帯モードの何れかに切り替える通信モード切替手段を有し、独立世帯モード時において、通信モード切替手段は、二世帯端子を内線側出力点に接続させるよう接続切替手段を切り替えることを特徴とする。
【００１９】
請求項３の発明では、請求項１または２の何れかの発明において、インターホン親機は他世帯のインターホン親機との間で信号の授受を可能にする二世帯モード、又は、他世帯のインターホン親機との間で信号の授受を遮断する独立世帯モードの何れかに切り替える通信モード切替手段と、子器接続端子及び副親機接続端子から入力された映像信号を増幅するアンプとを備え、二世帯モード時において、他世帯のインターホン親機へ自世帯の子器の映像信号を送信するインターホン親機の通信モード切替手段は、二世帯端子が内線側出力点に接続されるよう接続切替手段を切替えることを特徴とする。
【００２０】
請求項４の発明では、請求項１〜３の何れか一項の発明において、インターホン親機は他世帯のインターホン親機との間で信号の授受を可能にする二世帯モード、又は、他世帯のインターホン親機との間で信号の授受を遮断する独立世帯モードの何れかに切り替える通信モード切替手段と、子器接続端子及び副親機接続端子から入力された映像信号を増幅するアンプとを備え、二世帯モード時において、他世帯のインターホン親機から送信された映像信号を受信して表示するインターホン親機の通信モード切替手段は、二世帯端子がカメラ側入力点に接続されるよう接続切替手段を切替えることを特徴とする。
【発明の効果】
【００２１】
請求項１の発明によれば、副親機端子の一つが二世帯端子として用いられ、自世帯の子器からの呼出に他世帯の親機や副親機で応答させる場合には、二世帯端子を内線側出力点に切り替えて、自世帯の子器からの映像を他世帯に表示させることができる。また、他世帯の子器からの呼出に応答する場合には、二世帯端子をカメラ側入力点に切り替え、カメラ側入力点から映像復調回路に入力させることで、他世帯の映像信号を映像表示手段意に表示させることができる。したがって、従来の二世帯住宅用のインターホン親機のような世帯間の通信のための回路を別途設ける必要が無く、インターホン親機の回路規模を小さくして小型化を図ることができるとともに、コストダウンを図ることができるという効果がある。
【００２２】
請求項２の発明によれば、インターホン親機が独立世帯モードで動作中は、他世帯のインターホン親機への信号の送信が遮断されるので、世帯間のプライバシーを保つことができる。
【００２３】
請求項３の発明によれば、インターホン親機が二世帯モードで動作中は、自世帯の子器からの映像信号を自世帯の親機に設けられたアンプによって増幅し、二世帯端子を介して他世帯の親機に出力することができるので、世帯間の伝送経路の配線長を長くすることができる。
【００２４】
請求項４の発明によれば、インターホン親機が二世帯モードで動作中は、二世帯端子を介して入力された他世帯のインターホン親機からの映像信号を、自世帯の親機に設けられたアンプによって増幅して副親機で表示できるので、親機と副親機間の伝送経路の配線長を長くすることができる。
【発明を実施するための最良の形態】
【００２５】
以下に本発明の実施の形態を図１〜図４に基づいて説明する。本実施の形態にかかるインターホンシステムは二世帯住宅に用いられ、二世帯住宅の二つの世帯Ａ１、Ａ２内での内線通話や、世帯Ａ１、Ａ２の世帯間での通話を行えるようにしている。なお本実施の形態では、世帯Ａ１が親世帯、世帯Ａ２が子世帯として説明を行う。
【００２６】
各世帯Ａ１、Ａ２には、図２に示すように、例えば玄関などの住戸外に設置されるカメラ付きドアホン子器３と、所定の検知エリアでの環境変化を検出すると検知エリアを含む所定の撮影エリアを撮影するカメラ子器４と、マイク１０ａ及びスピーカ１０ｂ並びにモニタ１２（映像表示手段）を有し、ドアホン子器３との間でマイク１０ａ及びスピーカ１０ｂを用いて通話を行うとともに、子器（ドアホン子器３及びカメラ子器４）で撮影された映像をモニタ１２に表示させるインターホン親機（以下、親機と略称す。）１と、スピーカ及びマイクとモニタ（映像表示手段）を有し、親機１に信号線Ｌｓ２を介して接続され、親機１を介してドアホン子器３との間でスピーカ及びマイクを用いて通話を行うとともに、子器で撮影された映像をモニタに表示させるインターホン副親機（以下、副親機と略称す。）２ａ、２ｂ…２ｎとがそれぞれ設けられている。
【００２７】
各世帯Ａ１、Ａ２の親機１は、図１に示すように、子器（ドアホン子器３及びカメラ子器４）が信号線Ｌｓ１を介してそれぞれ接続される複数の子器接続端子Ｔ１と、副親機２ａ〜２ｎが信号線Ｌｓ２を介して接続される副親機接続端子Ｔ２（Ｔ２ａ、Ｔ２ｂ）とを備えており、副親機接続端子Ｔ２のうちの一つの副親機接続端子Ｔ２ｂには、信号線Ｌｓ３を介して他世帯の親機１が接続されている。すなわち、副親機接続端子Ｔ２ｂが、二世帯端子として使用されている（以下、二世帯端子Ｔ２ｂと略称す。）。
【００２８】
また親機１は、マイク１０ａ及びスピーカ１０ｂと、２線−４線変換回路を含みマイク１０ａから出力される音声信号を信号処理して後述の多重分離回路１６ａ、１６ｃに出力するとともに、多重分離回路１６ａ、１６ｃから入力される音声信号を信号処理してスピーカ１０ｂから音声を鳴動させ、さらに副親機２ａ〜２ｎ並びにカメラ子器４及び他世帯の親機１の間でＦＳＫ方式により制御信号を伝送する制御・音声変復調回路１１とを備えており、マイク１０ａとスピーカ１０ｂと制御・音声変復調回路１１とで通話手段を構成している。
【００２９】
また親機１は、例えば液晶ディスプレイからなるモニタ１２（映像表示手段）と、後述の多重分離回路１６ｂ、１６ｅから入力される映像信号を復調してモニタ１２に表示させる映像変復調回路１３（映像復調手段）と、各種の操作（呼出信号への応答操作、所望のドアホン子器３の映像を表示するための操作、副親機２ａ〜２ｎの呼出操作）を行うための操作部１４と、信号線Ｌｓ１の線間電圧を監視することによってドアホン子器３又はカメラ子器４からの呼出信号を受信する呼出信号受信回路１５と、マイコンを主構成要素として全体的な動作制御を行う制御部１７とを備えている。
【００３０】
ここで、親機１では子器接続端子Ｔ１を３系統備えているのに対して映像信号を受信して処理する映像変復調回路１３を一つしか持たないので、映像信号同士の衝突を回避するために時分割多重伝送方式を採用しており、制御部１７から伝送する制御信号によって規定される複数のタイムスロットに、ドアホン子器３及びカメラ子器４を個別に割り当て、ドアホン子器３及びカメラ子器４のそれぞれが、自器に割り当てられたタイムスロットで映像信号を送信し、親機１の映像変復調回路１３において各タイムスロットで受信し、且つ復調した映像信号から元の映像を再構成してモニタ１２に表示させている。尚、時分割多重伝送の詳細については従来周知であるから説明を省略する。
【００３１】
また親機１は、複数の多重分離回路１６（１６ａ…１６ｅ）を備え、多重分離回路１６ａは、制御・音声変復調回路１１から入力される音声信号及び制御信号を周波数多重化して信号線Ｌｓ１に出力するとともに、信号線Ｌｓ１を介して入力される多重化信号から音声信号を分離して制御・音声変復調回路１１に出力する。また多重分離回路１６ｂは、信号線Ｌｓ１を介して入力される多重化信号から映像信号を分離して映像変復調回路１３に出力する。また多重分離回路１６ｃは、制御・音声変復調回路１１から入力される音声信号及び制御信号を周波数多重化して信号線Ｌｓ２、Ｌｓ３に出力するとともに、副親機２ａ〜２ｎから信号線Ｌｓ２を介して入力される多重化信号、並びに、他世帯の親機１から信号線Ｌｓ３を介して入力される多重化信号から、音声信号及び制御信号を分離して制御・音声変復調回路１１に出力する。多重分離回路１６ｄは、多重分離回路１６ｂにより分離された映像信号を再び周波数多重化して信号線Ｌｓ２、Ｌｓ３に出力する。多重分離回路１６ｅは、信号線Ｌｓ３を介して入力される多重化信号から映像信号を分離して映像変復調回路１３に出力する。また多重分離回路１６ｂと多重分離回路１６ｅの間には、多重分離回路１６ｂからの入力された映像信号を増幅して、映像変復調回路１３及び多重分離回路１６ｅに出力するアンプ２０ａと、アンプ２０ａからの映像信号をさらに増幅して多重分離回路ｅに出力するアンプ２０ｂが接続されている。
【００３２】
また親機１は、多重分離回路１６ｄと副親機接続端子Ｔ２ａの間に設けられた内線側出力点１８と、二世帯端子Ｔ２ｂとの間にスイッチＳＷ１を備えるとともに、子器接続端子Ｔ１と映像変復調回路１３の間に設けられたカメラ側入力点１９と、多重分離回路１６ｅとの間にスイッチＳＷ２を備えている。ここで、ここで制御部１７は、操作部１４の操作に応じて他世帯の親機１との間で信号の授受を可能にする二世帯モード、又は、他世帯の親機１との間で信号の授受を遮断する独立世帯モードの何れかとして動作し、設定された動作モードに応じて、スイッチＳＷ１、ＳＷ２オン／オフを切り替えている。すなわち、スイッチＳＷ１、ＳＷ２により接続切替手段を構成しており、制御部１７及び操作部１４で通信モード切替手段を構成している。
【００３３】
ここで各スイッチＳＷ１、ＳＷ２は、いずれもオン状態を初期値として設定されている。そして、操作部１４によって二世帯モードが選択されると、制御部１７が操作部１４からの選択操作に応じて動作モードを二世帯モードに切り替えるとともに、他世帯の親機１に制御信号を送信して、他世帯の親機１の動作モードを二世帯モードに切り替える。他世帯の親機１は制御部１７が、受信した制御信号に応じて動作モードを二世帯モードに切り替え、スイッチＳＷ１をオフ、スイッチＳＷ２をオンさせる。一方、操作部１４によって独立世帯モードが選択されると、制御部１７が操作部１４からの選択操作に応じて動作モードを独立世帯モードに切り替え、ドアホン子器３からのドアホン呼出及びカメラ子器４による環境変化の検知入力が無い場合は、他世帯の親機１との間で制御信号の授受が行えるようにスイッチＳＷ１をオンさせ、ドアホン子器３からのドアホン呼出又はカメラ子器４による環境変化の検知入力があると、スイッチＳＷ１をオフさせて（スイッチＳＷ２はオフのまま）、他世帯の親機１からの映像信号の受信を遮断する。
【００３４】
本実施形態のインターホンシステムは以上のような構成を有しており、このインターホンシステムの動作を図３及び図４の状態遷移図に基づいて説明する。まず、各世帯Ａ１、Ａ２の親機１が、操作部１４の操作に応じて独立世帯モードに切り替えられた場合の動作を図３に基づいて説明する。なお、初期状態ではスイッチＳＷ１はオン状態、スイッチＳＷ２はオフ状態となっている。
【００３５】
親世帯Ａ１の家人が、親機１の操作部１４を用いて動作モードを独立世帯モードに切り替える操作を行うと（処理Ｓ１）、親機１の制御部１７が操作部１４からの操作入力に基づいて動作モードを独立世帯モードに切り替える（処理Ｓ２）。また子世帯Ａ２においても、親機１の動作モードが独立世帯モードに切り替えられているものとする（処理Ｓ３）。
【００３６】
その後、子世帯Ａ２に来訪者があり、来訪者がドアホン子器３の呼出釦３ａを押し操作すると（処理Ｓ４）、ドアホン子器３が信号線Ｌｓ１の線間電圧を、待機給電状態よりも低い電圧に低下させることで親機１に呼出信号を伝送する（処理Ｓ５）。親機１では、呼出信号受信回路１５が信号線Ｌｓ１の線間電圧をモニタすることによって呼出信号を検出しており、呼出信号を受信して制御部１７に出力すると、制御部１７がスイッチＳＷ１をオフして他世帯間での映像信号の授受を遮断するとともに（処理Ｓ６）、制御部１７が信号線Ｌｓ１への給電電圧を待機給電状態から動作給電状態に移行させ、ドアホン子器３によりカメラを起動させる。このとき、制御部１７では、制御・音声変復調回路１１によりスピーカ１０ｂから呼出信号を鳴動させるとともに、呼出信号を鳴動させるための制御信号を多重分離回路１６ｃに出力させ、制御信号を周波数多重化させて副親機２ａ〜２ｎに送信させることで、副親機２ａ〜２ｎからも呼出音を鳴動させている。また制御部１７では、制御・音声変復調回路１１からドアホン子器３及びカメラ子器４にタイムスロットを割り当てる制御信号を出力させ、この制御信号を多重分離回路１６ａが多重化して送信することによって、ドアホン子器３との間で同期をとっており（処理Ｓ７）、ドアホン子器３が自器に割り当てられたタイムスロットで映像信号を返送すると（処理Ｓ８）、多重分離回路１６ｂで分離された映像信号は、アンプ２０ａで増幅されて映像変復調回路１３に送られ、映像変復調回路１３が復調して元の映像を再構成することによって、子器の映像がモニタ１２に表示される。
【００３７】
また親機１の多重分離回路１６ｂで分離された映像信号は、アンプ２０ａ、２０ｂのそれぞれで増幅されて多重分離回路１６ｄに送られ、多重分離回路１６ｄで再び多重化されて副親機２ａ〜２ｎに出力されるので、副親機２ａ〜２ｎのモニタにも子器の映像を表示させることができる（処理Ｓ９）。その後、親機１又は副親機２ａ〜２ｎで応答釦が押し操作されると、親機１又は副親機２ａ〜２ｎとドアホン子器３との間で通話路が形成され、ドアホン通話が行われる。そして、親機１又は副親機２ａ〜２ｎとドアホン子器３との間の通話が終了すると（処理Ｓ１０）、制御部１７はスイッチＳＷ１をオンさせて、初期状態に戻している（処理Ｓ１１）。
【００３８】
なお親世帯Ａ１に来訪者があり、親世帯Ａ１のドアホン子器３と親機１との間でドアホン通話を行う際の処理（処理Ｓ１２〜Ｓ１８）は、上述した子世帯Ａ２での通話処理（処理Ｓ４〜Ｓ１１）と同様であるので、詳細な説明は省略する。
【００３９】
このように本システムでは、独立世帯モードで動作中に自世帯のドアホン子器３からの呼出又はカメラ子器４による環境変化の検知があると、親機１の制御部１７がスイッチＳＷ１をオフさせるので、自世帯のドアホン子器３又はカメラ子器４で撮影された映像が他世帯の親機１に出力されるのを防止でき、世帯間のプライバシーを確保することができる。
【００４０】
次に、各世帯Ａ１、Ａ２の親機１が二世帯モードに切り替えられた場合の動作について図４を参照して説明する。なお、初期状態ではスイッチＳＷ１はオン状態であり、スイッチＳＷ２はオフ状態となっている。
【００４１】
親世帯Ａ１の家人が、親機１の操作部１４を用いて動作モードを二世帯モードに切り替える操作を行うと（処理Ｓ２１）、親機１の制御部１７が操作部１４からの操作入力に基づいて自機の動作モードを二世帯モードに切り替える（処理Ｓ２２）。なお、スイッチＳＷ１はオン、スイッチＳＷ２はオフのままである。また親世帯Ａ１の親機１は、制御・音声変復調回路１１から多重分離回路１６ｃに動作モードを二世帯モードに切り替える制御信号（切替信号）を出力させ、この制御信号を多重分離回路１６ｃにより周波数多重化して、信号線Ｌｓ３を介して子世帯Ａ２の親機１へ出力させている（処理Ｓ２３）。子世帯Ａ２の親機１では、多重分離回路１６ｃが信号線Ｌｓ３を介して入力された多重化信号から制御信号を分離して制御・音声変復調回路１１に出力し、この制御信号を受けて制御部１７が自機の動作モードを二世帯モードに切り替えるとともに、スイッチＳＷ１をオフし、スイッチＳＷ２をオンさせる（処理Ｓ２４）。ここで、親世帯Ａ１のスイッチＳＷ１がオン状態であり、且つ、子世帯のスイッチＳＷ２がオン状態であるので、親世帯Ａ１の親機１からの映像信号を、子世帯Ａ２の親機１で受信することが可能である。
【００４２】
この状態で親世帯Ａ１に来訪者があり、来訪者がドアホン子器３の呼出釦３ａを押し操作すると（処理Ｓ２５）、ドアホン子器３が信号線Ｌｓ１の線間電圧を、待機給電状態よりも低い電圧に低下させることで親機１に呼出信号を伝送する（処理Ｓ２６）。親機１では、呼出信号受信回路１５が信号線Ｌｓ１の線間電圧をモニタすることによって呼出信号を検出しており、呼出信号を受信して制御部１７に出力すると、制御部１７が信号線Ｌｓ１への給電電圧を待機給電状態から動作給電状態に移行させ、ドアホン子器３によりカメラを起動させるとともに、制御・音声変復調回路１１によりスピーカ１０ｂから呼出信号を鳴動させる。また制御部１７は、副親機２ａ〜２ｎを鳴動させるための制御信号を多重分離回路１６ｃに出力させ、多重分離回路１６ｃにより周波数多重化して副親機２ａ〜２ｎに送信しており、副親機２ａ〜２ｎから呼出音を鳴動させている。また、制御部１７は、子世帯Ａ２の親機１を呼び出す為の制御信号を制御・音声変復調回路１１から多重分離回路１６ｃに出力させており、多重分離回路１６ｃが制御信号を周波数多重化して信号線Ｌｓ３を介して子世帯Ａ２の親機１に送信している（処理Ｓ２７）。子世帯の親機Ａ２は、多重分離回路１６ｃによってこの多重化信号から制御信号を分離させて制御・音声変復調回路１１に出力し、制御部１７がこの制御信号を受信することで、制御・音声変復調回路１１によってスピーカ１０ｂから呼出信号を鳴動させるとともに、副親機２ａ〜２ｎを鳴動させるための制御信号を多重分離回路１６ｃに出力させ、多重分離回路１６ｃにより周波数多重化して副親機２ａ〜２ｎに送信し、副親機２ａ〜２ｎから呼出音を鳴動させる（処理Ｓ２８）。
【００４３】
その後、親世帯Ａ１の親機１の制御部１７では、制御・音声変復調回路１１からドアホン子器３及びカメラ子器４にタイムスロットを割り当てる制御信号を出力させ、この制御信号を多重分離回路１６ａが多重化して送信することによって、ドアホン子器３との間で同期をとっており（処理Ｓ２９）、ドアホン子器３が自器に割り当てられたタイムスロットで映像信号を返送すると（処理Ｓ３０）、多重分離回路１６ｂで分離された映像信号がアンプ２０ａで増幅されて映像変復調回路１３に入力され、映像変復調回路１３が映像信号を復調して元の映像を再構成することによって、子器の映像がモニタ１２に表示される。また親機１の多重分離回路１６ｂで分離された映像信号は、アンプ２０ａ、２０ｂで増幅されて多重分離回路１６ｄに入力され、多重分離回路１６ｄによって再び多重化された後、副親機接続端子Ｔ２ａを介して副親機２ａ〜２ｎに送られるとともに、二世帯端子Ｔ２ｂを介して他世帯の親機１に送られる（処理Ｓ３１）。子世帯Ａ２の親機１は、親世帯Ａ１から入力された多重化信号を多重分離回路１６ｅが映像信号に分離し、この映像信号をアンプ２０ａが増幅し、映像変復調回路１３が復調して元の映像を再構成することによって、親世帯Ａ１のドアホン子器３で撮影された映像を、子世帯Ａ２の親機１のモニタ１２に表示させている。また、子世帯Ａ２の親機１の多重分離回路１６ｅで分離された映像信号は、アンプ２０ａ、２０ｂによって増幅されて多重分離回路１６ｄに入力され、多重分離回路１６ｄによって再び多重化された後、副親機接続端子Ｔ２ａを介して子世帯Ａ２の副親機２ａ〜２ｎに送られる（処理Ｓ３２）。而して、親世帯Ａ１の親機１及び副親機２ａ〜２ｎに子器（ドアホン子器３又はカメラ子器４）の映像を表示させることができ、子世帯Ａ２の親機１及び子世帯Ａ２の副親機２ａ〜２ｎにおいても、親世帯Ａ１の子器（ドアホン子器３又はカメラ子器４）の映像を表示させることができる。
【００４４】
ここで、子世帯Ａ２の家人が呼出音を聞いて副親機２ａの応答釦を押し操作すると、親世帯Ａ１のドアホン子器３と子世帯Ａ２の副親機２ａとの間に、親世帯Ａ１の親機１と子世帯Ａ２の親機１とを介して通話路が形成され、ドアホン子器３と子世帯Ａ２の副親機２ａとの間でドアホン通話が行われる（処理Ｓ３３）。
【００４５】
その後、子世帯Ａ２の副親機２ａで通話の終了操作が行われると（処理Ｓ３４）、副親機２ａは通話を終了して待機状態に移行するとともに、子世帯Ａ２の親機１に対して通話終了を報知する制御信号を出力する（処理Ｓ３５）。子世帯Ａ２の親機１では、副親機２ａから出力された制御信号が副親機接続端子Ｔ２ａを介して多重分離回路１６ｃに入力され、多重分離回路１６ｃによって周波数分離された後、制御・音声変復調回路１１により復調されて制御部１７に入力されている。制御部１７は内線通話の終了を受けて待機状態に移行するとともに、制御・音声変復調回路１１から通話終了を報知する制御信号を出力させ、この制御信号を多重分離回路１６ｃが多重化して二世帯端子Ｔ２ｂを介して親世帯Ａ１の親機１に送信する（処理Ｓ３６）。親世帯Ａ１の二世帯端子Ｔ２ｂに入力された制御信号は、親機１の多重分離回路１６ｃによって制御信号が周波数分離された後、制御・音声変復調回路１１により復調されて制御部１７に入力されており、制御部１７は内線通話の終了処理を受けて、待機状態に移行するとともに、ドアホン子器３への給電状態を待機給電状態に切り替えており（処理Ｓ３７）、ドアホン子器３ではカメラを停止させて待機状態に移行する。
【００４６】
このように、二世帯モードにおいて親機１では、同じ世帯のドアホン子器３又はカメラ子器４から入力される映像信号を、副親機接続端子２ａ〜２ｎを介して自世帯の副親機２ａ〜２ｎに出力するとともに、副親機接続端子Ｔ２を介して他世帯の親機１に出力しているので、他世帯の親機１及び副親機２ａ〜２ｎや、自世帯の副親機２ａ〜２ｎに映像信号を出力することが可能になる。
【００４７】
以上のように、他世帯の親機１を接続する二世帯端子を副親機接続端子Ｔ２で兼用し、他世帯の子器（ドアホン子器３及びカメラ子器４）からの映像を、自世帯の親機１および副親機２ａ〜２ｎのモニタに表示させることができるので、親機１の回路規模を小さくしたドアホンシステムを提供することができる。
【００４８】
また、自世帯のドアホン子器３及びカメラ子器４からの映像信号は、親機１に設けられた多重分離回路１６ｂによって多重化信号から映像信号に分離され、アンプ２０ａおよびアンプ２０ｂによって増幅された後、多重分離回路１６ｄによって再び多重化され、信号線Ｌｓ３を介して他世帯の親機１に送信されるので、各世帯Ａ１、Ａ２間の配線距離を長くすることができる。
【００４９】
さらに、他世帯の親機１を介して他世帯のドアホン子器３及びカメラ子器４から送信された映像信号は、多重分離回路１６ｅによって多重化信号が映像信号に分離され、アンプ２０ａおよびアンプ２０ｂによって増幅された後、多重化分離回路１６ｄによって再び多重化されて副親機２ａ〜２ｎに送信されるので、信号線Ｌｓ３を経由することで減衰した他世帯の映像信号であっても、自世帯のドアホン子器３及びカメラ子器４から送信された信号と同様に副親機で表示することができ、親機１と副親機２ａ〜２ｎ間の配線距離を長くすることが可能である。
【図面の簡単な説明】
【００５０】
【図１】実施形態１のインターホンシステムの概略的なブロック図である。
【図２】同上のシステム構成図である。
【図３】同上の独立世帯モードでの動作を説明する状態遷移図である。
【図４】同上の二世帯モードでの動作を説明する状態遷移図である。
【図５】従来の二世帯住宅用インターホンシステムのシステム構成図である。
【図６】同上の概略的なブロック図である。
【符号の説明】
【００５１】
１    インターホン親機
２ａ〜２ｎ  インターホン副親機
３    ドアホン子器（カメラ付きドアホン）
４    カメラ子器
１０ａ  マイク（通話手段）
１０ｂ  スピーカ（通話手段）
１３    映像変復調回路（映像復調手段）
１８    カメラ側入力点
１９    内線側入力点
Ｔ１    子器接続端子
Ｔ２ａ  副親機接続端子
Ｔ２ｂ  副親機接続端子（二世帯端子）
ＳＷ１  スイッチ（接続切替手段）
ＳＷ２  スイッチ（接続切替手段）
【図１】
2010081122.tif 000003
【図２】
2010081122.tif 000004
【図３】
2010081122.tif 000005
【図４】
2010081122.tif 000006
【図５】
2010081122.tif 000007
【図６】
2010081122.tif 000008